(57)【要約】【課題】クリップを機器のケース面に固定できるようにする。その際、機密性や防水性を損なわず、クリップの有無で製造ラインを別にしなくても良くする。【解決手段】ケース面１９ａに形成したレール部２８にステイ（アダプタ金具）２６を係合して取り付け、そのステイ２６にプレート部材２１とクリップ部材２２を備えた挟持力の大きなクリップユニット２０をネジ止めする。その際、クリップユニット２０の突起３４をステイ２８の貫通孔３８を介してケース面１９ａの凹部２７に係合させる。すると、凹部２７と係合した突起３４がステイ２８の移動を防止して、共締めによる付け直しに依らずに挟持力の大きなクリップユニット２０を取り付けられる。こうすることで、機密性や防水性を損なうことがない。また、レール部２８を設けておけば、クリップユニット２０を取り付けることができるので、別の製造ラインを設けなくてもよい。【選択図】図５
2010050394.tif 000002
【特許請求の範囲】
【請求項１】
機器のケース面の取り付け部とクリップユニット間にアダプタ金具を設け、
前記取り付け部は、凹部とＵ字形の係止部とで構成され、
前記係止部は、断面形状が逆Ｌ字形の突部を前記ケース面にＵ字形に形成し、ケース面との間に嵌入用の溝を形成したものであり、
一方、クリップユニットは、固定側のプレート部材と可動側のクリップ部材を閉じる方向に付勢するバネを介して開閉自在に取り付けるとともに、前記プレート部材に前記アダプタ金具に固着するための固着構造と、プレート面の裏側から突出する突起を設け、
前記アダプタ金具は、前記溝に係合する嵌入部と、クリップユニットの前記突起と対向する開口部を備え、
ケース面の前記溝にアダプタ金具の前記嵌入部を係合させたのち、前記固着構造によってクリップユニットをアダプタ金具に固定するとともに、クリップユニットの前記突起をアダプタ金具の前記開口部を介してケース面の前記凹部に係合させて取り付けるクリップの固定構造。
【請求項２】
クリップユニットの前記固着構造はネジを挿通させる貫通孔とし、
前記アダプタ金具はＴ字形として、前記貫通孔と対向する位置にネジ孔を備え、
前記嵌入部を前記Ｔ字の垂直部分の両側及び下端に設け、前記Ｔ字の水平部分を前記係止部のＵ形の開口よりも長く形成して開口端に当接するようにし、
係止部の前記溝にアダプタ金具の前記嵌入部を係合させ、
前記アダプタ金具のＴ字の前記水平部分を前記係止部のＵ字の開口端に当接させたのち、クリップユニットの前記プレート部材を前記アダプタ金具に対向させて、前記貫通孔及び前記ネジ孔を介してネジ止めするとともに、クリップユニットの前記突起をアダプタ金具の前記開口部を介してケース面の前記凹部に係合させて取り付けることを特徴とする請求項１に記載のクリップの固定構造。
【請求項３】
前記アダプタ金具のＴ字の水平部分と垂直部分の前記係止部から露出した部分を前記係止部より高くしたことを特徴とする請求項２に記載のクリップの固定構造。
【請求項４】
前記アダプタ金具は、Ｔ字形の水平部分の両端に前記ネジ孔を備え、
クリップユニットの前記プレート部材は、このネジ孔と対向する位置に前記貫通孔を備えたことを特徴とする請求項２または３に記載のクリップの固定構造。
【発明の詳細な説明】
【技術分野】
【０００１】
この発明は、マイク及び携帯型無線通信機等の電子機器にクリップを固定するためのクリップの固定構造に関する。
【背景技術】
【０００２】
マイク及び携帯型無線通信機等の電子機器にクリップを固定するためのクリップの固定構造としては、例えば、図７の（特許文献１）に示すものがある。このものは、図７のように、機器のケース面１に形成した取り付け部２にクリップ部品３を嵌入すると言うものである。
【０００３】
すなわち、ケース面１の取り付け部２は、凹部４とＵ字形の係止部５とからなり、前記係止部５は、ケース面１に逆Ｌ形の突部をＵ字形の開口をケース面の上部に向けて形成し、ケース面１との間に嵌入用のＵ字形の溝を形成したものである（以下、レール部と称す）。一方、クリップ部品３は、スライド嵌入部６を両側に形成した基台７に、軸８で持ってフック９を開閉自在に取り付けたもので、前記軸８にフック９を閉じる方向に付勢するバネを挿通してある。また、基台７の前部に舌片１０を設けて舌片１０の先端にフック状の係止片１１を設けてある。
【０００４】
そのため、このような固定構造では、図８のように、前記ケース面１に設けられたＵ形のレール部５の開口から、フック９を取り付けたクリップ部品３の基台７を両側のスライド嵌入部６をＵ字形の両側のレール部５に嵌合しスライドさせて嵌め入れる。すると、舌片１０に設けられた係止片１１が、図８のように、ケース面１の凹部４に嵌り、クリップ部品３を固定する。
【０００５】
ところが、上記のような固定構造では、固定したクリップ部品３をクリップとして使用した場合、クリップ部品３とケース面１の間で挟み込みを行うため、挟み込む力（狭持力）に応じたストレスがケースやケース面に形成したレール部５に常に加わり傷めてしまう。その結果、狭持力の強い（大きな）クリップを取り付けられない問題があった。
【０００６】
この問題を解決する一つの方法として、例えば、図１に示す本願の実施形態のようなクリップユニットを使用することが考えられる。
【０００７】
前記クリップユニット２０は、固定側のプレート部材２１と可動側のクリップ部材２２を閉じる方向に付勢するバネを介して開閉自在に取り付けたものである。このように、上下に挟持片を備えた構造としたことで、クリップユニット２０のみで挟み込みを行えるため、ケース面１やケース面１のレール部５に加わるストレスを軽減できるというものである。
【０００８】
ところで、このようなストレスを軽減できるクリップユニット２０を機器のケース面やケース面１に装着するための固定構造として１番に考えられるのは、ケース本体にネジ止めすることである。このネジ止めには、以下のような２つの方法が考えられる。
【０００９】
一つは、図９のように、ケース本体のレア（リア）パネル１２とフロントパネル１３を固定するネジ１４で共締めにする方法である。もう一つは、図１０のように、前記のケース本体の固定ネジ１４とは別のネジ１５を用いて固定する方法である。
【００１０】
【特許文献１】特開２０００−２６９６５８号公報
【発明の開示】
【発明が解決しようとする課題】
【００１１】
しかしながら、上記のリアパネルとフロントパネルを固定するネジで共締めにする方法では、例えば、クリップユニットをネジ止めする工程で、リアパネルとフロントパネルのネジを外して付け直す必要がある。そのため、二度手間になり、しかも、付け直しにより機密性能や防水性能を損なう問題が考えられる。
【００１２】
同様に、ケース本体の固定ネジとは別のネジを用いて固定する方法では、前記ケースを製造する際に、クリップを取り付けるものにのみ、ネジ孔を開ける必要があるため、クリップを取り付ける製品と取り付けない製品（例えば、防水性能の有無などが異なる）を別の製造ラインで製造しなければならないという問題がある。そのため、工程が増加しネジが増えることによるコストアップも生じる問題がある。
【００１３】
そこで、この発明の課題は、機密性や防水性を損なうことなく、クリップを電子機器に固定できるようにすることである。
【課題を解決するための手段】
【００１４】
上記の課題を解決するため、この発明では、機器のケース面の取り付け部とクリップユニット間にアダプタ金具を設け、前記取り付け部は、凹部とＵ字形の係止部とで構成され、前記係止部は、断面形状が逆Ｌ字形の突部を前記ケース面にＵ字形に形成し、ケース面との間に嵌入用の溝を形成したものであり、一方、クリップユニットは、固定側のプレート部材と可動側のクリップ部材を閉じる方向に付勢するバネを介して開閉自在に取り付けるとともに、前記プレート部材に前記アダプタ金具に固着するための固着構造と、プレート面の裏側から突出する突起を設け、前記アダプタ金具は、前記溝に係合する嵌入部と、クリップユニットの前記突起と対向する開口部を備え、ケース面の前記溝にアダプタ金具の前記嵌入部を係合させたのち、前記固着構造によってクリップユニットをアダプタ金具に固定するとともに、クリップユニットの前記突起をアダプタ金具の前記開口部を介してケース面の前記凹部に係合させて取り付ける構成を採用したのである。
【００１５】
このような構成を採用したことにより、挿通方向と逆方向へアダプタ金具が移動するのを防止して、クリップをケース面に固定する。こうして共締めによる付け直しをしなくてもクリップユニットを取り付けられるので、機密性や防水性を損なうことがない。さらに、ケースやケース面に係止部を設けておけば、必要な際にクリップユニットを取り付けることができるので、クリップを取り付ける製品と取り付けない製品を製造するために別の製造ラインを設けなくてもよい。
【００１６】
また、このとき、クリップユニットの前記固着構造はネジを挿通させる貫通孔とし、前記アダプタ金具はＴ字形として、前記貫通孔と対向する位置にネジ孔を備え、前記嵌入部を前記Ｔ字の垂直部分の両側及び下端に設け、前記Ｔ字の水平部分を前記係止部のＵ形の開口よりも長く形成して開口端に当接するようにし、係止部の前記溝にアダプタ金具の前記嵌入部を係合させ、前記アダプタ金具のＴ字の前記水平部分を前記係止部のＵ字の開口端に当接させたのち、クリップユニットの前記プレート部材を前記アダプタ金具に対向させて、前記貫通孔及び前記ネジ孔を介してネジ止めするとともに、クリップユニットの前記突起をアダプタ金具の前記開口部を介してケース面の前記凹部に係合させて取り付ける構成を採用することができる。
【００１７】
このような構成を採用したことにより、ケース面に形成した係止部よりも寸法が大きく狭持力の大きなクリップユニットを固定できる。
【００１８】
また、このとき、前記アダプタ金具のＴ字の水平部分と垂直部分の前記係止部から露出した部分を前記係止部より高くした構成を採用することができる。
【００１９】
このような構成を採用することにより、アダプタ金具がクリップユニットを支持して、クリップユニットから係止部、ケースやケース面へ加わるストレスを低減させることができる。
【００２０】
またこのとき、前記アダプタ金具は、Ｔ字形の水平部分の両端に前記ネジ孔を備え、
クリップユニットの前記プレート部材は、このネジ孔と対向する位置に前記貫通孔を備えた構成を採用することができる。
【００２１】
このような構成を採用することにより、アダプタ金具とクリップユニットのプレート部材を両端でネジ止めするので、がたつきを防いでしっかり固定できる。
【００２２】
なお、上記ケースとは、例えば、マイク素子や増幅回路などを収容する容器のことである。
【発明の効果】
【００２３】
この発明は、以上のように構成したことにより、狭持力の強力なクリップを固定することができる。また、その際、機密性や防水性を損なうことがない。さらに、必要な際にクリップユニットを取り付けることができるので、クリップを取り付ける製品と取り付けない製品を製造するために製造ラインを別に設けなくてもよい。
【発明を実施するための最良の形態】
【００２４】
以下、この発明を実施するための最良の形態を図面に基づいて説明する。
【００２５】
図１に示すものは、本発明のクリップの固定構造を携帯型無線機のマイクに適用したもので、前記マイクは、マイク素子や増幅回路などを収容するケース１９の背面に設けた取り付け部２５に、アダプタ金具（以下、ステイ）２６を介してクリップユニット２０を取り付ける構成となっている。
【００２６】
前記ケース面１９ａの取り付け部２５は、図２に示すように、凹部２７とＵ字形の係止部（以下、レール部）２８とで構成されており、凹部２７は、平坦な背面の左右方向の真中に形成されたレール部２８の開口部分に設けられている。すなわち、凹部２７は、Ｕ字形の開口部分の中央に形成した四角形の小さな穴でケースを貫通しないものである。
【００２７】
前記レール部２８は、断面形状が逆Ｌ形の突部をＵ字形の開口をケース面１９ａの上部に向けて形成し、ケース面１９ａと断面形状が逆Ｌ形の突部との間に嵌入用の溝を形成したものである。また、この形態では、レール部２８の開口端は外向きの傾斜面とすることで開口の大きさを広くしてステイ２６の挿入が容易にできるようにしてある。さらに、Ｕ字形の下部は、図２のように、２箇所の嵌入穴２９を設けて、後述のように、ステイ２６の突起３０を係合するようにしてある。
【００２８】
一方、クリップユニット２０は、固定側のプレート部材２１と可動側のクリップ部材２２とで構成され、図２のように、前記プレート部材２１とクリップ部材２２を軸３１で開閉自在に連結し、その軸３１にコイルバネ(ねじりバネでも可)２３を挿通して、プレート部材２１とクリップ部材２２を閉じる方向へ付勢するようにした狭持力の強いものである。
【００２９】
前記プレート部材２１は、長方形の金属板の両側を上部から１／３程度の部分を表面側（クリップ部材２２と対向する側）に折り曲げて孔を形成し軸３１との係合部を設けたもので、前記係合部を設けることでＴ字形の固定部３２を形成している。前記Ｔ字形の固定部３２は、水平部分の両側に固着構造としてネジ止め用の貫通孔３３を設け、その貫通孔３３と貫通孔３３の真中部分に突起３４を形成してある。この突起３４は、プレート部材２１をコの字に切り欠いて裏面側に折り曲げたものである。また、Ｔ字の垂直な中央部分には、ネジ止め用の貫通孔３３を設けて、その両側に補強用のリブ３５を形成してある。一方、プレート部材２１の下部は少しだけ裏面側に折り曲げてクリップとして使う際に、衣服のポケットなどへ嵌めやすくしてある。
【００３０】
クリップ部材２２は、プレート部材２１と同様に、図１及び図２のように、金属板の両側を上部から１／３程度の部分を裏面側（プレート部材２１と対向する側）に折り曲げて孔を形成し軸３１との係合部を設けるとともに、残りの周囲を裏面側に折り曲げてある。こうすることで、折り曲げ加工による強度の向上を図るようにしてある。また、この折り曲げ加工で角に丸みを持たせることにより、使用感の向上を図るようにしてある。一方、下端の折り曲げに、波型の歯を形成することで、クリップの係合力を高めている。なお、軸３１の両端の符号４０は抜け止め用のＣリングである。
【００３１】
ステイ２６は、Ｔ字形をした部材で、Ｔ字の水平部分を前記レール部２８のＵ形の開口よりも長く形成して開口端に当接するようにしてある。また、Ｔ字の垂直部分の両側と下端に前記レール部２８に係合する嵌入部３６を設けてある。前記両側の嵌入部３６は、図２及び図３のように、Ｌ形を外向きに形成してレール部２８に嵌入するように形成してある。また、下端は下向きに折り曲げて突起３０を形成することで、前述のように、Ｕ字形のレール部２８の下部に設けた２箇所の嵌入穴２９と係合するようにしてある。このように、嵌入部３６は、端部を折り曲げることで、Ｔ字形のレール部２８の内側から露出した垂直部分をレール部２８より高くなるようにし、クリップユニット２０を支持して、レール部２８にストレスが加わらないようにしてある。そのため、Ｔ字の水平部分も折り曲げて係止部より高くなるように高さを合わせることで、安定して支持できるようにしてある。
ステイ２６は、Ｔ字の水平部分の両端と垂直部分にネジ溝を形成した３箇所のネジ孔３７を設けて、クリップユニット２０を対向させた際にプレート部材２１の貫通孔３３と対応するようにしてある。このとき、Ｔ字形のステイ２６のネジ孔を水平部分の両端に設けたことにより、ステイ２６とクリップユニット２０のプレート部材２１を両端でネジ止めするので、がたつきを防いでしっかり固定できる。
また、ステイ２８のＴ字の水平部分と垂直部分の境目に、ここでは、スリット状の貫通孔３８を設けて、クリップユニット２０を対向させた際に、プレート部材２１の突起３４が嵌るようにしてある。また、このスリット状の貫通孔３８の両側には、補強用のリブ３９を形成してある。なお、前記貫通孔３８が請求項1に記載の開口部に相当する。
【００３２】
この形態は、上記のように構成されており、前記ケース１９へのクリップユニット２０の固定は、まず、図３に示すように、マイクのケース面１９ａに形成されたレール部２８のＵ字形の開口へステイ２６のＴ字形の垂直部分をレール部２８に係合させて挿入する。そして、挿入した垂直部分の下端の突起３０がＵ形のレール部２８の下部に設けた嵌入穴２９に係合するまで挿入して、Ｔ字形の水平部分がレール部２８のＵ形の開口端に当接させる。次に、図４のように、Ｔ字形の水平部分と垂直部分にクリップユニット２０のプレート部材２１を対向させて前記プレート部材２１の突起３４をステイ２６の貫通孔３８を介してケース面１９ａの凹部２７に係合させたのちネジ止めする。その状態を図５に示す。
【００３３】
このように固定されたクリップユニット２０は、図５及び図６のように、凹部２７と係合した突起３４が挿通方向と逆方向へステイ２６が移動（スライド）するのを防止して、挟持力の大きなクリップユニット２０をケース面１９ａに固定する。こうして共締めによる付け直しをしなくても挟持力の大きなクリップユニット２０を取り付けられるので、機密性や防水性を損なうことがない。その結果、消防隊員の防火服のポケットなどへ保持するための金属製で狭持力の強力なクリップユニット２０の固定が可能になる。
さらに、ケース１９やケース面１９ａにレール部２８を設けておけば、必要な際にクリップユニット２０を取り付けることができるので、クリップユニット２０を取り付ける製品と取り付けない製品を製造するために製造ラインを別に設けなくてもよい。
【００３４】
なお、この形態では、マイクのケース１９に本願のクリップの固定構造を用いた場合について述べたが、本願のクリップ構造は、マイクのケース１９以外にも適用できるものである。例えば、携帯無線機本体や携帯音楽プレーヤなどの携帯機器に使用できることは明白である。
【図面の簡単な説明】
【００３５】
【図１】実施形態の斜視図
【図２】実施形態の要部の分解斜視図
【図３】実施形態の作用説明図
【図４】実施形態の作用説明図
【図５】実施形態の縦断面図
【図６】実施形態の要部の縦断面図
【図７】従来例の作用説明図
【図８】従来例の作用説明図
【図９】従来例の作用説明図
【図１０】従来例の作用説明図
【符号の説明】
【００３６】
１９  ケース
１９ａ  ケース面
２０  クリップユニット
２１  プレート部材
２２  クリップ部材
２３  バネ
２５  取り付け部
２６  ステイ
２７  凹部
２８  レール部
２９  嵌入穴
３０  突起
３１  軸
３２  固定部
３３  貫通孔
３４  突起
３６  嵌入部
３７  ネジ孔
３８  貫通孔
【図１】
2010050394.tif 000003
【図２】
2010050394.tif 000004
【図３】
2010050394.tif 000005
【図４】
2010050394.tif 000006
【図５】
2010050394.tif 000007
【図６】
2010050394.tif 000008
【図７】
2010050394.tif 000009
【図８】
2010050394.tif 000010
【図９】
2010050394.tif 000011
【図１０】
2010050394.tif 000012